(57)【特許請求の範囲】
【請求項１】
仕切部を挟んで２つの挿通孔を形成した調節具本体の該仕切部にベルトの一端を結合するとともに、該ベルトの他端を折り返し、該他端を一方の前記挿通孔の下方から挿通し、前記仕切部の上方を通過させて、他方の前記挿通孔の上方から挿通させることでベルトループを形成し、該ベルトの引き出し量を可変させて、該ベルトループの大きさを調節するようにしたベルト調節具において、
前記仕切部は、前記調節具本体の略中央に設けられ、
前記仕切部の上方で、該仕切部に結合された前記ベルトの一端側と該仕切部の上方を通過させた前記ベルトの他端側との間には、回動可能なローラが前記調節具本体に対して固定支持されていることを特徴とするベルト調節具。
【請求項２】
請求項１において、
前記調節具本体に着脱可能とされたカバー体を更に備えているベルト調節具。
【請求項３】
仕切部を挟んで２つの挿通孔を形成した調節具本体の該仕切部にベルトの一端を結合するとともに、該ベルトの他端を折り返し、該他端を一方の前記挿通孔の下方から挿通し、前記仕切部の上方を通過させて、他方の前記挿通孔の上方から挿通させることでベルトループを形成し、該ベルトの引き出し量を可変させて、該ベルトループの大きさを調節するようにしたベルト調節具において、
前記調節具本体に着脱可能とされたカバー体を備えており、
該仕切部に結合された前記ベルトの一端側と、該仕切部の上方を通過させた前記ベルトの他端側との間に、ローラを介在させ、該ローラは、前記カバー体に回動可能に支持されていることを特徴とするベルト調節具。
【請求項４】
請求項１乃至３のいずれか１項において、
前記ベルトの長手方向に沿う前記調節具本体の両端側には、該調節具本体に対して起倒可能な一対の挟み操作片が枢支されているベルト調節具。
【発明の詳細な説明】
【技術分野】
【０００１】
本発明は、バッグ、カメラ、ビデオカメラ、レジ袋等の荷物を吊下げて保持するためのショルダーベルト等の長さ調節に用いられるベルト調節具に関する。
【背景技術】
【０００２】
従来、ベルト調節具には、種々の形式のものが提供されているが、一般的には「コキ」と称される仕切部を挟んで２つの挿通孔を形成した「日」の字形状としたものが多用されている。例えば、特許文献１では、そのようなベルト調節具を構成するアジャスターを設けたフック付ショルダーベルトが提案されている。
【０００３】
前記特許文献１に記載のフック付ショルダーベルト１は、図１３に示すように、長さ調節のためにベルトに取付けられた第１アジャスター３とベルトに結合された第２アジャスター４と荷物を吊下げるためのフック５とを備えている。
詳しくは、フック付ショルダーベルト１は、仕切部にベルト２の一端２ａを結合するとともに、ベルト２の他端２ｂを折り返し、ベルト２の一端２ａ側の上方に重ね、前記仕切部の上方を通過させて、前記２つの挿通孔の一方より他方に挿通させることでベルト２でループ２ｃを形成し、ベルト２の引き出し量を可変させて、ループ２ｃの大きさを調節することで長さ調節がなされる。
【０００４】
第１アジャスター３は、その使用時、すなわち、フック５にバッグやレジ袋などの荷物が吊下げられた状態では、第１アジャスター３の２つの挿通孔に仕切部を介して挿通されたベルト２が荷物の自重により引っ張られて緊張し、仕切部に結合された一端２ａ側と仕切部の上方を通過させたベルト２の他端２ｂ側、及び、２つの挿通孔の孔枠と挿通孔から延出するベルト２との間の摩擦作用により、ベルト２に対する位置が保持される。
また、使用者の身長などに合わせてフック付ショルダーベルト１の長さ調節をする場合には、フック５に吊下げている荷物を一旦取外してベルト２の緊張を緩め、第１アジャスター３の前記仕切部の上方を通過させたベルトを挿通孔の孔枠及び仕切部に結合された一端２ａ側との摩擦を解除する方向へ移動させ、すなわち、フック付ショルダーベルト１を短くする場合は、仕切部の上方を通過させたベルト２の他端２ｂ側を実線矢印Ａ方向に一旦引き出し、次いで一方の挿通孔から延出するベルト２を実線矢印Ｂ方向に仕切部の上方を通過させたベルト２の他端２ｂ側と仕切部に結合された一端２ａ側との空隙がなくなるまで引き出して、ループ２ｃを大きくすることによりなされる。一方、フック付ショルダーベルト１を長くする場合は、前記とは逆の動作、すなわち破線矢印Ｃ方向、破線矢印Ｄ方向にそれぞれ引き出して、ループ２ｃを小さくすることによりなされる。
【０００５】
ここで、吊下げている荷物を一旦取外してから長さ調節が行われるのが通常であるが、前記したように荷物が吊下げられた状態では、ベルトが荷物の自重により引っ張られて緊張し、仕切部に結合された一端２ａ側と仕切部の上方を通過させたベルト２の他端２ｂ側、及び、２つの挿通孔の孔枠と挿通孔から延出するベルト２との間に摩擦作用が働いているので、その摩擦力に抗して第１アジャスター（ベルト調節具）の仕切部の上方のベルト及び挿通孔から延出するベルトを引き出すことが困難であり、また、摩擦力に抗してベルトを引き出すため、ベルトに擦傷などを生じさせることがあった。
【特許文献１】特開平１１−１０３９２７号公報
【発明の開示】
【発明が解決しようとする課題】
【０００６】
また、前記特許文献１で提案されているフック付ショルダーベルトに用いられているようなベルト調節具によれば、前記したようにベルトの引き出し量を可変させて、ループの大きさを調節することにより、ベルトの長さ調節が可能であるが、吊下げている荷物を一旦取外して、前記したように長さ調節を行う必要があり面倒であった。
更に、ベルトの引き出し量をどの程度、可変させれば所望の長さに調節できるかを判断することが困難であり、一度、仕切部の上方を通過させたベルトの他端側を上方に引き出し、次いで、挿通孔から延出するベルトを引き出す必要があり、所望の長さへの調節が困難であった。
さらにまた、長さ調節後に荷物を吊下げ、長さが合わない場合は、再度、前記同様に長さ調節を行う必要があり、その作業は煩雑であり、軽い荷物等を吊下げている場合であれば荷物を吊下げた状態でも前記したように長さ調節は可能ではあるが、ベルトに擦傷などが生じたり、また力の弱い小さな子供などでは、その調節が上手くできない場合もあった。
【０００７】
本発明は、前記問題を解決するために提案されたもので、ベルトの長さ調節を容易かつスムーズに行うことができるベルト調節具を提供することにある。
【課題を解決するための手段】
【０００８】
前記目的を達成するために、請求項１に記載のベルト調節具は、仕切部を挟んで２つの挿通孔を形成した調節具本体の該仕切部にベルトの一端を結合するとともに、該ベルトの他端を折り返し、該他端を一方の前記挿通孔の下方から挿通し、前記仕切部の上方を通過させて、他方の前記挿通孔の上方から挿通させることでベルトループを形成し、該ベルトの引き出し量を可変させて、該ベルトループの大きさを調節するようにしたベルト調節具において、前記仕切部は、前記調節具本体の略中央に設けられ、前記仕切部の上方で、該仕切部に結合された前記ベルトの一端側と該仕切部の上方を通過させた前記ベルトの他端側との間には、回動可能なローラが前記調節具本体に対して固定支持されていることを特徴とする。
【０００９】
請求項２では、請求項１において、前記調節具本体に着脱可能とされたカバー体を更に備えている。
【００１０】
請求項３に記載のベルト調節具は、仕切部を挟んで２つの挿通孔を形成した調節具本体の該仕切部にベルトの一端を結合するとともに、該ベルトの他端を折り返し、該他端を一方の前記挿通孔の下方から挿通し、前記仕切部の上方を通過させて、他方の前記挿通孔の上方から挿通させることでベルトループを形成し、該ベルトの引き出し量を可変させて、該ベルトループの大きさを調節するようにしたベルト調節具において、前記調節具本体に着脱可能とされたカバー体を備えており、該仕切部に結合された前記ベルトの一端側と、該仕切部の上方を通過させた前記ベルトの他端側との間に、ローラを介在させ、該ローラは、前記カバー体に回動可能に支持されていることを特徴とする。
【００１１】
請求項４では、請求項１乃至３のいずれか１項において、前記ベルトの長手方向に沿う前記調節具本体の両端側には、該調節具本体に対して起倒可能な一対の挟み操作片が枢支されている。
【発明の効果】
【００１２】
請求項１乃至４に記載のベルト調節具によれば、前記仕切部に結合されたベルトの一端側と、該仕切部の上方を通過させたベルトの他端側との間に、回動可能なローラを介在させているので、前記仕切部に結合されたベルトの一端側と、該仕切部の上方を通過させたベルトの他端側との間の摩擦作用を弱めることができ、ベルトループの大きさを変化させたい方向に挿通孔から延出するベルトを引き出す、あるいは、ベルト調節具を移動させることにより、ベルトの長さ調節を容易かつスムーズに行うことができる。
【００１３】
請求項３では、カバー体を備え、ローラをカバー体に支持しているので、ベルトの長さ調節等の際に、衣服等の巻き込みを防止できる。
【００１５】
請求項４では、起倒可能な一対の挟み操作片をベルトの長手方向に沿って枢支した構造としているので、該挟み操作片を操作することにより、孔枠とベルトとの間に隙間が形成され、容易かつスムーズにベルトの長さ調節を行うことができる。
【発明を実施するための最良の形態】
【００１６】
以下に、本発明の実施の形態について、図面を参照しながら説明する。
図１及び図２は、第１実施形態に係るベルト調節具を示し、図１は、本実施形態のベルト調節具を示す概略斜視図、図２は、同実施形態におけるベルト調節具の使用状態の一例を示し、（ａ）は、ベルト調節具が取付けられたベルトのベルトループの一態様とベルトループの大きさ調節の一態様を模式的に示す概略縦断面図、（ｂ）は、ベルトループの大きさ調節の他の態様を模式的に示す概略縦断面図である。
尚、図２では、発明の理解を容易とするため、カバー体を脱離させた状態を図示している。
【００１７】
図例のベルト調節具１０は、仕切部１３を挟んで２つの挿通孔１４ａ、１４ｂを形成した調節具本体１１と、その上方からカバーするカバー体２０と、カバー体２０に支持されたローラ１２とを備えている。
ローラ１２は、カバー体２０の内側両壁に形成された枢支凹部２２に回動可能に支持されており、カバー体２０は、係止突起２１を調節具本体１１の側壁下端に係止させることにより調節具本体１１のカバーとして機能する。これにより、ベルトの長さ調節等の際に、指等でベルト調節具１０を把持し調節する際に把持面積が増加し、操作性の良いものとなるとともに、衣服等の巻き込みも防止できる。
【００１８】
カバー体２０は、弾性のある樹脂材等で形成され、本実施形態では、図示のように、ローラ１２を回動可能に支持する枢支凹部２２を形成するローラ支持片２２ｂ、２２ｂを両内側壁に突設させ、ローラ支持片２２ｂ、２２ｂの下方間には、ローラ挿入部２２ａが形成されており、ローラ支持片２２ｂ、２２ｂの弾性変形を伴いローラ１２を、ローラ挿入部２２ａから容易に挿入可能とされ、枢支凹部２２に支持できる構成としている。
また、カバー体２０の側壁には、切込形成により４つの弾性片２１ａが形成され、各弾性片２１ａ下端部内側には、係止突起２１が突設され、カバー体２０を調節具本体１１の上方から被せて押圧すると弾性片２１ａの弾性変形を伴い各係止突起２１が調節具本体１１の側壁下端に係止し、カバー体２０と調節具本体１１とが容易に嵌合係止可能な構成とされている。
尚、図例では、上部が開口した開口部２３が開設されたカバー体２０を示しているが、開口部２３を形成せずに、全てを覆う形状としてもよい。また、カバー体２０にローラ１２を支持させる構成とせず、調節具本体１１にローラ１２を支持させる構成としてもよく、カバー体２０を備えない構成としてもよい。
【００１９】
前記のような構成とされたベルト調節具１０をベルト３０に取付けて使用する場合は、図２（ａ）に示すように、仕切部１３にベルト３０の一端３１を結合するとともに、他端３２を折り返し、ベルト３０の一端３１側の上方に重ねて、仕切部１３の上方を通過させて、２つの挿通孔の一方１４ｂより他方１４ａに挿通させることによりベルトループ３３を形成する。すなわち、ベルト調節具１０は、仕切部１３に結合されたベルト３０の一端３１から折り返されたベルト３０の挿通孔１４ｂに挿通されるまでの部分をベルトループ３３として形成し、他端３２を挿通孔１４ｂの下方から挿通させ仕切部１３の上方を通過させて、挿通孔１４ａの上方から挿通させて、ベルト３０に取付けられている。
尚、一端３１の仕切部１３への結合は、一端３１を仕切部１３に一巻廻し、縫合やカシメなどによりなされている。
本実施形態では、更に、他端３２に後述する被係止部４１を結合している。また、仕切部１３に結合されたベルト３０の一端３１側と、仕切部１３の上方を通過させたベルト３０の他端３２側との間に、前記したように回動可能なローラ１２を介在させている。
【００２０】
次に、本実施形態に係るベルト調節具１０が取付けられたベルト３０の使用例について、図３及び図４を参照し説明する。
図３は、ベルト調節具１０が取付けられた荷物運搬用肩掛けベルトの一使用例を示す概略斜視図、図４は、同使用例における荷物運搬用肩掛けベルトに用いられる吊下部材の一例を示す概略正面図である。
【００２１】
荷物運搬用肩掛けベルト５０は、図３に示すように、前記のように構成されたベルト３０の他端３２に結合された被係止部４１と、被係止部４１に係止する係止爪４２と、荷物を吊下げる吊下部材を構成するフック４４とから構成されており、係止爪４２とフック４４とは、結合ベルト４３を介して連結されている。
係止爪４２は、図４に示すように、押圧部４２ａ、４２ａを両側から指等で押圧操作することにより、被係止部４１との嵌合係止、脱離が容易になされる形状とされている。すなわち、係止爪４２と被係止部４１とは、ワンタッチで容易に着脱可能な構成とされており、これにより、フック４４に吊下げられた荷物が重い場合でも、荷物運搬用肩掛けベルト５０自体を肩などから荷物とともに持ち上げて取外したり、フック４４から荷物を持ち上げて取外す必要がなく、吊下げられた荷物を容易にベルト３０からフック４４と共に取外すことができる。
【００２２】
フック４４は、フック軸４４ａを中心に結合ベルト４３に対して軸回動可能な構成とされており、これにより吊下げた荷物の大きさや形状に合わせて荷物を回動させることができ、ストレスなく荷物を保持することが可能となる。
また、フック４４は、側面視鉤型とするとともに、正面視幅広となるように形成し、その幅方向には、荷物を吊下げた場合に指で荷物を保持できる空間、すなわち指保持スペースＷを有する形状とされており、これにより、フック４４に吊下げられた荷物の重量を、肩などと指に分散して保持することが可能となる。
【００２３】
前記のような構成とされた荷物運搬用肩掛けベルト５０は、図３に示すように、ベルトループ３３に使用者Ｐの腕を通し肩に掛けて、フック４４に荷物を吊下げて使用がなされる。
フック４４に荷物が吊下げられた状態、すなわちその使用時においてベルト調節具１０は、図２（ａ）に示すように、荷物の自重によりベルト３０が引っ張られて緊張し、仕切部１３に結合された一端３１側及び挿通孔１４ａ、１４ｂの孔枠と、それらに当接しているベルト３０との間の摩擦作用により、ベルト３０に対する位置が保持される。
【００２４】
ベルト調節具１０を用いて、ベルト３０の長さ調節、すなわちベルトループ３３の大きさを調節する際には、フック４４に荷物が吊下げられているか否かを問わず、ベルト調節具１０を身体から遠ざかる方向に引張り、図２（ｂ）に示すように、挿通孔１４ａ、１４ｂの孔枠と、それらに当接しているベルト３０との摩擦作用を弱め、次いで、ベルトループ３３の大きさを調節したい方向、すなわちベルトループ３３を大きくしたい場合（ベルト３０を短くしたい場合）は、矢印Ｅ方向に挿通孔１４ｂから延出するベルト３０を引き出す、あるいは、ベルトループ３３を小さくしたい場合（ベルト３０を長くしたい場合）は、矢印Ｆ方向に挿通孔１４ａから延出するベルト３０を引き出すことにより、ベルトループ３３の大きさの調節、すなわち、ベルト３０の長さ調節が可能となる。
【００２５】
フック４４に荷物が吊下げられた実際の使用状態では、ベルト調節具１０を指でつまみ、そのまま、ベルト３０に対して移動させることにより、ベルトループ３３の大きさを調節することができる。
すなわち、図２（ａ）に示すような状態で、ベルトループ３３を大きくしたい場合（ベルト３０を短くしたい場合）は、矢印Ｆ方向にベルト調節具１０を移動させる、あるいは、ベルトループ３３を小さくしたい場合（ベルト３０を長くしたい場合）は、矢印Ｅ方向にベルト調節具１０を移動させれば、ベルト３０はローラ１２の作用により、スムーズに滑り、ベルトループ３３の大きさの調節、すなわち、ベルト３０の長さ調節が可能となる。
【００２６】
前記したように、本実施形態に係るベルト調節具１０によれば、仕切部１３に結合されたベルト３０の一端３１側と、仕切部１３の上方を通過させたベルト３０の他端３２側との間に、回動可能なローラ１２を介在させているので、従来のような「コキ」と称される「日」の字形状のベルト調節具と比べて、容易かつスムーズにベルトの長さ調節が可能となる。すなわち、ローラ１２の介在により、ベルト３０の一端３１側と、仕切部１３の上方を通過させたベルト３０の他端３２側との間の摩擦作用を弱めることができ、容易に長さ調節を行うことができる。
また、従来のように、ベルト調節具の仕切部の上方を通過させたベルトを一旦引き出して、次いで、所望の方向にベルトを挿通孔から引き出す必要がなく、前記したようにベルト調節具１０自体を移動させる、あるいは、挿通孔１４ａ、１４ｂの下方から延出するベルト３０を所望の方向に引き出すことにより、長さ調節が可能であるので、微細な長さ調節も容易に行うことができる。
【００２７】
尚、ベルト調節具１０によるベルト３０の長さ調節の態様は、前記した態様に限られず、使用者の力や吊下げられた荷物の重量により適宜、例えば、図２（ａ）に示す状態から少しベルト調節具１０を持ち上げて、挿通孔１４ａ、１４ｂの孔枠と、それらに当接しているベルト３０との間の摩擦作用を若干、弱めて、すなわち、図２（ｂ）のように完全に前記孔枠とベルト３０との当接を無くすことなく、次いで、ベルト３０を所望の方向に引き出す、あるいは、ベルト調節具１０を移動させるような態様としてもよい。
【００２８】
次に、本実施形態に係るベルト調節具１０の使用状態の他例及び同例を適用したベルトの一使用例について、図５乃至図７を参照し説明する。
図５は、本実施形態におけるベルト調節具の使用状態の他例を示し、ベルト調節具が取付けられたベルトのベルトループの一態様とベルトループの大きさ調節の一態様を模式的に示す概略縦断面図、図６は、同例を適用した荷物運搬用肩掛けベルトの一使用例を示す概略斜視図、図７（ａ）、（ｂ）は、同使用例における荷物運搬用肩掛けベルトに用いられる吊下部材の一例を示す概略斜視図である。
尚、前記図２乃至図４に基づいて説明したベルト調節具の使用状態及びベルト調節具が取付けられたベルトの使用例と同様の構成については、同一符号を付し、説明を省略する。
【００２９】
本例のベルト３０Ａは、図２（ａ）に基づいて説明した態様と異なり、図５に示すように、ベルト３０Ａの他端３２をベルトループ３３に沿ってベルト３０Ａに対して移動可能に挿通されたベルト端保持環１５に結合し、被係止部４１をベルトループ３３に沿ってベルト３０Ａに対して移動可能に挿通して構成されている。
本例のベルト３０Ａの長さ調節、すなわち、ベルトループ３３の大きさを調節するには、ベルトループ３３を大きくしたい場合（ベルト３０Ａを長くしたい場合）は、ベルト調節具１０の挿通孔１４ｂから延出するベルト３０Ａを矢印Ｇ方向に引き出す、あるいは、ベルト調節具１０を矢印Ｈ方向にベルト３０Ａに対して移動させることによりなされる。
一方、ベルトループ３３を小さくしたい場合（ベルト３０Ａを短くしたい場合）は、ベルト調節具１０の挿通孔１４ａから延出するベルト３０Ａの他端３２側を矢印Ｈ方向に引き出す、あるいは、ベルト調節具１０を矢印Ｇ方向にベルト３０Ａに対して移動させることによりなされる。
【００３０】
前記のように構成されたベルト３０Ａは、図６に示すように、荷物運搬用肩掛けベルト５０Ａとして、使用がなされる。
荷物運搬用肩掛けベルト５０Ａは、図３に基づいて説明した態様と、吊下部材の構成が異なり、フック４４Ａは、結合ベルト４３に対して直接結合され、回動可能な構成としておらず、また、図７に示すように、荷物の脱離を防止するロック片４４ｂを備えた構成としている。
ロック片４４ｂは、その一端が、フック４４Ａの結合ベルト４３に結合された結合端４４ｃに回動可能に支持されており、その自由端が、フック４４Ａの鉤型上端４４ｄに着脱可能に嵌合係止される構成とされている。
尚、図７（ａ）は、ロック片４４ｂの自由端を鉤型上端４４ｄに嵌合係止させた状態を示し、図７（ｂ）は、ロック片４４ｂの自由端を鉤型上端４４ｄから脱離させた状態を示している。
【００３１】
前記のように構成された荷物運搬用肩掛けベルト５０Ａを使用する場合は、ベルトループ３３に使用者Ｐの腕を通し肩に掛けて、ロック片４４ｂの自由端を鉤型上端４４ｄから脱離させ、荷物を吊下げて、ロック片４４ｂの自由端を鉤型上端４４ｄに嵌合係止させて使用がなされる。
このようにロック片４４ｂにより荷物がフック４４Ａから脱離することを防止することができるので、荷物がフック４４Ａから不意に外れることなく置き忘れなどを防止することができる。
尚、本例において、フック４４Ａを図４に基づいて説明したフック４４と同様に結合ベルト４３に対して軸回動可能な構成としてもよく、また、フック４４を本例に適用してもよい。
【００３２】
次に、本実施形態に係るベルト調節具が取付けられた荷物運搬用肩掛けベルトの更に他の使用例を図８に基づいて説明する。
本例に係る荷物運搬用肩掛けベルト５０Ｂは、ベルトループ３３に肩を掛けて使用する態様ではなく、ベルトループ３３が形成されたベルト３０（３０Ａ）を直線状になし、被係止部４１、係止爪４２、結合ベルト４３、フック４４を２箇所に取付けて図示のように一方の肩に掛けて他方の脇から抜いて使用、あるいは首に掛けて使用がなされる。
すなわち、図２（ａ）におけるベルト３０のベルトループ３３に沿って、ベルト３０に対して移動可能に被係止部４１が挿通され、あるいは、図５におけるベルト３０Ａのベルトループ３３に沿って、ベルト３０に対して移動可能に被係止部４１が更に一つ加えて挿通されて、それらに係止された２つのフック４４等を最離間した位置となるようにして、荷物、例えば、ビールケース、果物ケース、ダンボール箱などの取っ手にフック４４、４４を掛けて図示のように使用される。
尚、本例においてもベルト調節具１０により長さ調節が可能である。
また、本例においては、フック４４にロック片は設けない構成とすることが好ましく、フック４４を結合ベルト４３に対して軸回動可能な構成とすることが好ましい。
【００３３】
次に、本発明に係る他の実施の形態について、図面を参照しながら説明する。
図９及び図１０は、第２実施形態に係るベルト調節具を示し、図９は、本実施形態のベルト調節具を示す概略斜視図、図１０は、同実施形態におけるベルト調節具の使用状態の一例を示し、（ａ）は、図２（ａ）または図５と同様図、（ｂ）は、図２（ｂ）と同様図を示す概略側面図である。
第１実施形態との相違点は、カバー体を備えず、挟み操作片を備えた点であり、他の構成は、第１実施形態と同様であるため、同一符号を付し、説明を省略する。
【００３４】
本実施形態に係るベルト調節具１０Ａは、カバー体ではなく調節具本体１１の側壁に固着されたローラ支持軸１２ａ、１２ａによりローラ１２を回動可能に支持しており、更に、平板状に形成され、調節具本体１１に対して起倒可能な一対の挟み操作片１６ａ、１６ｂをベルト３０の長手方向に沿って枢支した構造としており、詳しくは、２つの挿通孔１４ａ、１４ｂが形成された調節具本体１１の孔枠に挟み操作片１６ａ、１６ｂを起倒可能に枢支している。
尚、図１０（ａ）では、挟み操作片１６ａ、１６ｂに指等による外力が加えられていない起立状態を示し、図１０（ｂ）では、挟み操作片１６ａ、１６ｂに指等による外力が加えられている倒伏状態を示している。
【００３５】
本実施形態のベルト調節具１０Ａを用いてベルト３０の長さ調節をする場合は、図１０（ａ）に示す状態で、前記第１実施形態にて説明したように長さ調節をすることが可能である。
また、図１０（ｂ）に示すように、指で挟み操作片１６ａ、１６ｂを倒伏状態とし、次いで、前記第１実施形態にて説明したように長さ調節を行う態様としてもよい。
このような態様によれば、挟み操作片１６ａ、１６ｂの倒伏操作により、孔枠とベルト３０との間に隙間を容易に形成することが可能となり、容易にベルト３０の長さ調節を行うことができる。
尚、本実施形態では、カバー体を備えていないベルト調節具１０Ａを示しているが、カバー体を備えた構成としてもよく、カバー体に挟み操作片１６ａ、１６ｂを枢支する構成としてもよい。
また、挟み操作片１６ａ、１６ｂを、図１０（ａ）における起立状態、すなわち図示水平状態から上方に回動しないように規制する規制部材や常に同起立状態側に付勢する弾性部材を備える構成としてもよい。
さらに、前記第１実施形態で説明したベルト３０Ａ、荷物運搬用肩掛けベルト５０、５０Ａ、５０Ｂに本実施形態に係るベルト調節具１０Ａを取付、適用可能である。
【００３６】
次に、ベルト調節具の参考例について、図面を参照しながら説明する。
図１１及び図１２は、ベルト調節具の参考例を示し、図１１は、本参考例のベルト調節具を示す概略斜視図、図１２は、同参考例におけるベルト調節具の使用状態の一例を示し、（ａ）は、通常の使用時、（ｂ）は、図２（ｂ）と同様図を示す概略側面図である。
第１実施形態との相違点は、カバー体を備えず、ローラが起倒可能に構成された点であり、他の構成は、第１実施形態と同様であるため、同一符号を付し、説明を省略する。
【００３７】
本参考例に係るベルト調節具１０Ｂは、調節具本体１１に起倒可能にローラ１２を支持しており、詳しくは、調節具本体１１の側壁に起倒可能に枢着されたローラ支持揺動軸１２ｂ、１２ｂによりローラ１２を回動可能に支持しており、ローラ支持揺動軸１２ｂ、１２ｂの起倒に伴い、ローラ１２が調節具本体１１に対して起倒可能な構成としている。
また、調節具本体１１の所定の箇所、すなわち、ローラ１２の倒伏状態に対応する箇所に、ローラ１２の形状に合わせて半円状の孔枠凹所１１ａ、１１ａが凹設されている。
尚、図１１及び図１２（ｂ）では、指等の外力によってローラ１２が起立状態とされており、図１２（ａ）では、指等による外力が加えられていない倒伏状態を示している。
【００３８】
前記のように構成されたベルト調節具１０Ｂは、通常の使用時においては、図１２（ａ）に示すようにローラ１２を倒伏状態とし、ベルト３０の仕切部の上方を通過させた他端３２側及びローラ１２と、仕切部１３に結合されたベルトの一端３１側との間の摩擦作用により、ベルト３０に対する位置が保持される。
一方、ベルト３０の長さ調節を行う場合は、図１２（ｂ）に示すように、ローラ支持揺動軸１２ｂ、１２ｂをしてローラ１２を起立状態とし、次いで、前記第１実施形態にて説明したように長さ調節を行うことが可能である。
このような態様によれば、ローラ１２の起立操作により、ベルト３０の仕切部の上方を通過させた他端３２側及びローラ１２と、仕切部１３に結合されたベルトの一端３１側との間の摩擦作用を容易に弱めることができ、長さ調節を容易に行うことができる。
また、通常の使用時には、ローラ１２を倒伏状態とすることで、調節具本体１１からのローラ１２の突出量を減少させることができ、意匠性にも優れたベルト調節具となる。
【００３９】
尚、ローラ支持揺動軸１２ｂ、１２ｂを操作するための操作片や、常に倒伏状態側に付勢する弾性部材や、図１２（ｂ）における起立状態から時計回りに回動しないように規制する規制部材を備える構成としてもよい。
また、孔枠凹所１１ａを設けない構成としてもよく、あるいは、孔枠凹所１１ａをベルト挿通方向の両側、すなわち４箇所に設け、いずれか一方にローラ１２を倒伏させる構成としてもよい。
さらに、前記第１実施形態で説明したベルト３０Ａ、荷物運搬用肩掛けベルト５０、５０Ａ、５０Ｂに本実施形態に係るベルト調節具１０Ｂを取付、適用可能である。
さらにまた、実施形態では、ベルトは荷物運搬用肩掛けベルトを例示して説明したが、自動車や飛行機などのシートベルトや運搬具の掛け紐などベルトの長さ調節が必要なものに本発明のベルト用調節具の適用が可能であり、いずれも簡易な操作でスムーズに調節ができる。
【図面の簡単な説明】
【００４０】
【図１】本発明に係るベルト調節具の実施形態の一例を示す概略斜視図である。
【図２】同実施形態におけるベルト調節具の使用状態の一例を示し、（ａ）は、ベルト調節具が取付けられたベルトのベルトループの一態様とベルトループの大きさ調節の一態様、（ｂ）は、ベルトループの大きさ調節の一態様を模式的に示す概略縦断面図である。
【図３】荷物運搬用肩掛けベルトの一使用例を示す概略斜視図である。
【図４】荷物運搬用肩掛けベルトに用いられる吊下部材の一例を示す概略正面図である。
【図５】ベルト調節具の使用状態の他例を示し、ベルト調節具が取付けられたベルトのベルトループの一態様とベルトループの大きさ調節の一態様を模式的に示す概略縦断面図である。
【図６】同例を適用した荷物運搬用肩掛けベルトの一使用例を示す概略斜視図である。
【図７】（ａ）、（ｂ）はいずれも同使用例における荷物運搬用肩掛けベルトに用いられる吊下部材の一例を示す概略斜視図である。
【図８】ベルト調節具が取付けられた荷物運搬用肩掛けベルトの更に他の使用例を示す概略斜視図である。
【図９】本発明に係るベルト調節具の実施形態の他例を示す概略斜視図である。
【図１０】同実施形態におけるベルト調節具の使用状態の一例を示し、（ａ）は、図２（ａ）または図５と同様図、（ｂ）は、図２（ｂ）と同様図を示す概略側面図である。
【図１１】ベルト調節具の参考例を示す概略斜視図である。
【図１２】同参考例におけるベルト調節具の使用状態の一例を示し、（ａ）は、通常の使用時、（ｂ）は、図２（ｂ）と同様図を示す概略側面図である。
【図１３】従来例の説明図である。
【符号の説明】
【００４１】
１０、１０Ａ、１０Ｂ      ベルト調節具
１１      調節具本体
１２      ローラ
１３      仕切部
１４ａ、１４ｂ      挿通孔
１６ａ、１６ｂ      挟み操作片
２０      カバー体
３０、３０Ａ      ベルト
３１      ベルトの一端
３２      ベルトの他端
３３      ベルトループ
【要約】
【課題】ベルトの長さ調節を容易かつスムーズに行うことができるベルト調節具を提供する。
【解決手段】仕切部１３を挟んで２つの挿通孔１４ａ、１４ｂを形成した調節具本体１１の該仕切部にベルト３０の一端３１を結合するとともに、該ベルトの他端３２を折り返し、前記ベルトの一端側の上方に重ねて、前記仕切部の上方を通過させて、前記２つの挿通孔の一方より他方に挿通させることでベルトループ３３を形成し、該ベルトの引き出し量を可変させて、該ベルトループの大きさを調節するようにしたベルト調節具１０において、前記仕切部に結合されたベルトの一端側と、前記仕切部の上方を通過させたベルトの他端側との間に、回動可能なローラ１２を介在させた構成としている。
【選択図】図１【図１】
0003958782.tif 000002
【図２】
0003958782.tif 000003
【図３】
0003958782.tif 000004
【図４】
0003958782.tif 000005
【図５】
0003958782.tif 000006
【図６】
0003958782.tif 000007
【図７】
0003958782.tif 000008
【図８】
0003958782.tif 000009
【図９】
0003958782.tif 000010
【図１０】
0003958782.tif 000011
【図１１】
0003958782.tif 000012
【図１２】
0003958782.tif 000013
【図１３】
0003958782.tif 000014